(57)【要約】【課題】検索エンジンのページ評価を高める外部リンクを容易に提供することができる外部リンク提供システム、およびその方法を提供する。【解決手段】配信されたメールマガジンを外部リンク提供システム４０が自動的にバックナンバーページとして蓄積、公開し、さらに各バックナンバーページから、指定のキーワードを用いた外部リンクを被検索ページ（ＳＥＯ対象ページ３０）に対して設定することにより、被検索ページに対するページリンク数を飛躍的に高め、検索エンジン１における被検索ページのページ評価を高めることができ、検索エンジン１での指定キーワードでの検索結果において、被検索ページの上位表示を実現することができる。【選択図】図２
2008192113.tif 000002
【特許請求の範囲】
【請求項１】
配信されたメールを受信するメール受信手段と、
該受信したメールのメール本文に、ＳＥＯ対象ページへの外部リンクを設定する外部リンク設定手段と、
該外部リンクが設定されたメール本文をメールアーカイブページとして格納する格納手段と、を備え、
検索エンジンによって前記メールアーカイブページをクローリング可能としたことを特徴とする外部リンク提供システム。
【請求項２】
前記メールは、定期的または不定期に発行されるメールマガジンであり、
前記格納手段には、メールマガジンが発行されるたびにメールアーカイブページを蓄積していくことを特徴とする請求項１に記載の外部リンク提供システム。
【請求項３】
前記格納手段がメールアーカイブページを格納すると、検索エンジンにメールアーカイブページが更新された旨の通知を行う通知手段を備えることを特徴とする請求項１または２に記載の外部リンク提供システム。
【請求項４】
配信されたメールを受信し、該受信したメールの本文にＳＥＯ対象ページへの外部リンクを設定し、該外部リンクが設定されたメール本文をメールアーカイブページとして格納し、検索エンジンによって前記メールアーカイブページをクローリング可能としたことを特徴とする外部リンク提供方法。
【請求項５】
前記メールは、定期的または不定期に発行されるメールマガジンであり、メールマガジンが発行されるたびにメールアーカイブページを蓄積していくことを特徴とする請求項４に記載の外部リンク提供方法。
【請求項６】
メールアーカイブページが格納されると、検索エンジンにメールアーカイブページが更新された旨の通知を行うことを特徴とする請求項４または５に記載の外部リンク提供方法。
【発明の詳細な説明】
【技術分野】
【０００１】  本発明は、検索エンジンのページ評価を高める外部リンク提供システム、およびその方法に関する。
【背景技術】
【０００２】  企業や事業主、個人が、ホームページを顧客獲得や認知を高める手段として用いることは現在では当然のこととなり、類似のサービスや商品を紹介するホームページも数多く存在する。
類似のページが多数存在する中で、自身のホームページに利用者がたどり着くための導線の確保が課題となってくる。
ホームページの閲覧者は、検索エンジンを用いて無数に存在するホームページ内から所望するホームページを選択して閲覧することが多くなってきている。
この際、検索結果での表示順序によって、ホームページの来訪の比率は大きく異なり、上位表示が強く求められるようになっている。
このような検索エンジンとして、たとえば特開２００５−２６７０２３号公報に記載されたようなものがある。【０００３】  検索エンジンの高性能化により、単に被検索ページに含まれる検索キーワードの一致度合いだけでなく、被検索ページに対しての検索キーワードを用いたリンクの多寡による重み付け、すなわちページ評価を算出し、ページ評価の高い被検索ページを、検索者の意図により合致する価値あるページとして検索結果中の上位に示すことが行われるようになった。
このような検索エンジンの特性に基づいて、検索キーワードを用いた検索の際に対象のホームページを検索結果の上位に表示させてホームページ来訪者数増加を図る手法を総称して、検索エンジン最適化、すなわちサーチエンジン・オプティマイゼーション（以下、ＳＥＯと呼ぶ）と呼ばれている。
検索エンジンは、被検索ページ中に検索キーワードを用いたリンク（以下、外部リンクと呼ぶ）が多く設定されている場合には、ページ評価を高くする傾向がある。
そこで、ＳＥＯサービスを提供する上で、外部リンクを人為的に提供することで、被検索ページのページ評価を高めるサービスが求められるようになってきた。
【特許文献１】特開２００５−２６７０２３号公報
【発明の開示】
【発明が解決しようとする課題】
【０００４】  そこで外部リンクの提供方法として、多数の無意味なコンテンツページを生成し、外部リンクを提供することが考えられるが、検索エンジン運営者側が、検索結果を乱す行為として、検索結果への影響を排除する対策をとるようになっている。
したがって、意味のある多数のコンテンツページを持つ者は、有効な外部リンクの提供元として、ＳＥＯサービスを行うことが可能となるが、コンテンツページを持たない者は、多数の有用なコンテンツページをいかに用意するかといった問題を解決しない限り、ＳＥＯサービスを開始することが困難である。【０００５】  また、ＳＥＯサービスを行う者同士の競合により、同一の外部リンク数、すなわち同一のコンテンツページ数のままでは、相対的にＳＥＯ効果が低下してきてしまう。
ＳＥＯ効果を保つためには、恒常的な外部リンク数の増加、すなわち外部リンクを提供できるコンテンツページの増加が必須であるといった問題がある。
そこで本発明はこのような問題点に鑑み、検索エンジンのページ評価を高める外部リンクを容易に提供することができる外部リンク提供システム、およびその方法を提供することを目的とする。
【課題を解決するための手段】
【０００６】  そのため本発明は、配信されたメールをメール受信手段によって受信し、該受信したメールのメール本文に外部リンク設定手段によってＳＥＯ対象ページへの外部リンクを設定し、該外部リンクが設定されたメール本文を格納手段によってメールアーカイブページとして格納することによって、検索エンジンによってメールアーカイブページをクローリング可能とした。
また、メール受信手段によって受信するメールを定期的または不定期に発行されるメールマガジンとし、格納手段はメールマガジンが発行されるたびにメールアーカイブページを蓄積するものとした。
さらに、格納手段がメールアーカイブページを格納すると、検索エンジンにメールアーカイブページが更新された旨の通知を通知手段が行うものとした。
【発明の効果】
【０００７】  本発明によれば、受信したメールに外部リンクを設定してメールアーカイブページを生成することにより、ＳＥＯ対象ページへの外部リンクを自動的に生成することができ、検索エンジンによるＳＥＯ対象ページのページ評価を高めることができる。
またメールマガジンからメールアーカイブページを生成することにより、メールマガジンの発行のたびにメールアーカイブページが増加し、ＳＥＯ対象ページへの外部リンクも増加させることができるので、ＳＥＯ対象ページのページ評価を恒常的に高めることができる。
さらに、検索エンジンにメールアーカイブページが更新された旨の通知を行うことにより、検索エンジンによるＳＥＯ対象ページのページ評価をすばやく高めることができる。
【発明を実施するための最良の形態】
【０００８】  次に本発明の実施の形態を実施例により説明する。
まず、検索エンジンによるページ評価算出方法について説明する。
図１は、検索エンジンによるページ評価算出のための構成を示す図である。
ユーザＰＣ５と検索エンジン１とは互いに通信を行っており、検索エンジン１はユーザＰＣ５からの要求に応じて、該当するホームページ情報を検索して順位付けを行った後、ユーザＰＣ５に検索結果を送り返す。【０００９】  検索エンジン１は、内部にクローリング操作部２、評価部３およびデータベース４を備える。
クローリング操作部２は、所定のタイミングで各ホームページのクローリングを行い、ホームページ内容の取得作業を行う。クローリングは、本システムが持つコンテンツページを示すサイトマップデータファイルや、取得したコンテンツページに記載されているリンク先情報を元に、本システムが持つコンテンツページのＵＲＬを取得することにより実行される。
評価部３は、クローリング操作部２によって取得されたホームページ内容に基づいてホームページの評価を行い、評価結果をデータベース４に格納する。【００１０】  ここで、クローリング操作部２がクローリングを行うホームページとして、Ａ社ホームページ１０、Ｂ社ホームページ１１、ホームページ１２、ホームページ１３があるものとする。
Ａ社ホームページ１０には、「Ａ社メール配信システムのご紹介」と記載され、Ｂ社ホームページ１１には、「Ｂ社メール配信システム」と記載されているものとする。また、ホームページ１２には、「Ａ社のメール配信は優れている」と記載され、ホームページ１３には、「メール配信はＡ社のサービスがよい  Ｂ社のメール配信はいまひとつ」と記載されているものとする。【００１１】  ホームページ１２からは、「メール配信」の語にＡ社ホームページ１０への外部リンク１５が設定されている。ホームページ１３からは、「メール配信はＡ社の・・」の部分の「メール配信」の語にＡ社ホームページ１０への外部リンク１６が設定され、さらに「Ｂ社のメール配信は・・」の部分の「メール配信」の語に、Ｂ社ホームページ１１への外部リンク１７が設定されている。
クローリング操作部２は、クローリング操作の際にホームページ内に含まれる外部リンクの数を取得する。
評価部３は、特定のホームページに対して設定されている外部リンクの数と、外部リンクが設定されている対象語の集計を行い、外部リンクの数が多いページに高い評価を与える。【００１２】  具体的には、「メール配信」という語に対して、Ａ社ホームページ１０はホームページ１２とホームページ１３からの外部リンク１５、１６が設定されているため、ページ評価を２ポイントとし、Ｂ社ホームページ１１はホームページ１３からの外部リンク１７のみが設定されているため、ページ評価を１ポイントとする。
データベース４には、対象となる語と、その語に対するページ評価が各ホームページごとに格納されている。
検索エンジン１はユーザＰＣ５から「メール配信」というキーワードについて検索が行われると、データベース４に格納されたページ評価の順位に基づいて、Ａ社ホームページ１０を１位、Ｂ社ホームページ１１を２位の順序で、ホームページ情報（アドレスなど）をユーザＰＣ５に返す。
このように、検索エンジン１は外部リンクを多く持つホームページのぺージ評価を高く設定する。【００１３】  次に、本発明における外部リンク提供システムの詳細について説明する。
図２は、外部リンク提供システムと検索エンジン等との連携を示す図である。
ＳＥＯ対象ページ３０は、外部リンク提供システム４０によってＳＥＯ効果を高める対象であり、メールマガジン配信システム５０はメールマガジンを配信する装置である。他の構成は図１と同じであり同一番号を付して説明を省略する。また、図２ではホームページとしてＳＥＯ対象ページ３０のみを図示したが、これ以外にも、無数のホームページが存在し、検索エンジン１によってクローリングされているものとする。【００１４】  メールマガジン配信システム５０は、あらかじめ登録された外部リンク提供システム４０に対してメールマガジンを発行する。
ここで、メールマガジンは日刊や月刊で発行される電子メールを用いた読み物で、企業や個人のサービスや商品紹介、あるいは思想や芸術表現を伝えるものとして用いられている。
このメールマガジンはテキスト形式ないしホームページと同様なＨＴＭＬ形式で記述されている。【００１５】  外部リンク提供システム４０は、定期的に発行されるメールマガジンのデータを蓄積し、アーカイブ表示できるようにする。
したがって、メールマガジンを受信するたびに外部リンク提供システム４０にはメールマガジンのデータが増加し、閲覧対象となるメールマガジンアーカイブページも増加する。
詳しくは後述するが、このメールマガジンアーカイブページには、ＳＥＯ対象ページ３０に対する外部リンク４５が設定され、メールマガジンの発行のたびに、ＳＥＯ対象ページ３０に対する外部リンク４５が増加する。【００１６】  メールマガジンアーカイブを利用するユーザＰＣ６０から、外部リンク提供システム４０に対してメールマガジンアーカイブの閲覧リクエストが発行されると、外部リンク提供システム４０は蓄積しているメールマガジンの本文データをもとにメールマガジンアーカイブページデータを作成し、ユーザＰＣ６０に対して送信する。
検索エンジン１からの、各メールマガジンアーカイブに対する閲覧リクエスト（クローリング）に対しても、ユーザＰＣ６０と同様にメールマガジンアーカイブページデータを送信する。
このメールマガジンアーカイブページデータにはＳＥＯ対象ページ３０に対する外部リンク４５が設定してあり、検索エンジン１はＳＥＯ対象ページ３０に対して多数の外部リンク４５が設定されているという情報を蓄積する。【００１７】  したがって、検索エンジン１はＳＥＯ対象ページ３０の外部リンクが多数存在することを受けて、ＳＥＯ対象ページ３０のページ評価を上昇させる。
これにより、ユーザＰＣ５から発せられる検索リクエストに対して、検索エンジン１はＳＥＯ対象ページ３０の検索順位を上位にした検索結果をユーザＰＣ５に返信する。
利用者は、ユーザＰＣ５を用いて上位に表示されたＳＥＯ対象ページ３０の閲覧リクエストを検索エンジン１に要求し、ＳＥＯ対象ページ３０のページデータを得る。【００１８】  次に、外部リンク提供システム４０で行われる処理の流れについて説明する。
図３は、外部リンク提供システム４０内での処理の流れを示す図である。
外部リンク提供システム４０は、メールマガジンのバックナンバーページすべてにおいて、外部リンクを提供する先のページへのページリンクを設定し、ＳＥＯサービスを提供するものである。
そのためステップ３００において、メールマガジンのバックナンバーページに対して設定する外部リンク情報を登録する。
ページリンクは、外部リンク提供先に与えるＳＥＯ効果の対象となる被検索語をリンク対象の言葉とし、リンク先は外部リンク提供先のページのＵＲＬ（ここではＳＥＯ対象ページ３０のＵＲＬ）を指定する。
したがってＨＴＭＬで記載すると、
＜ａ  ｈｒｅｆ＝”外部リンク提供先のＵＲＬ”＞被検索語＜／ａ＞
となる。
これを一連のバックナンバーページを生成するメールマガジンごとに１０個程度登録しておき、後述のステップにおいてバックナンバーページを自動生成する際に組み込む。【００１９】  外部リンク提供システム４０は、複数の種類のメールマガジンを自動的にバックナンバーページに変換して公開するため、メールマガジンごとにバックナンバーページを分類できるようにメールマガジンを識別する必要がある。
そこでステップ３０２において、バックナンバーページに変換すべきメールマガジンを自動的に識別できるように、メールマガジンの識別データを事前に登録する。
具体的には、メールマガジンには、配信エラー処理用にメールヘッダー部のエンベロープヘッダに、
Ｚ−［識別コード］＠ｂｍａ．ｍｐｍｅ．ｊｐ
のような形の情報が記載されている。
したがって、メールマガジンの識別データとして、メールマガジンごとに異なる［識別コード］部分の英数文字列を、メールマガジンの名称、公開するＵＲＬとともに登録する。【００２０】  メールマガジン配信システム５０にはあらかじめ外部リンク提供システム４０のメールアドレスを登録しておき、メールマガジンを外部リンク提供システム４０が受信できる状態にしておく。
メールマガジン配信システム５０からメールマガジンが外部リンク提供システム４０に向けて配信されると、ステップ３０３において、メールマガジンの送信元ＩＰをチェックする。
ステップ３０４において、送信元ＩＰがあらかじめ登録されたＩＰであるかどうかの判断を行い、あらかじめ登録されている送信サーバからのＩＰである場合にはステップ３０５へ進み、異なる場合にはステップ３１２へ進む。
送信元ＩＰが、登録されているものではない場合には、ステップ３１２においてメールマガジンの受信を行わず接続を断つ。【００２１】  送信元ＩＰが正しい場合、ステップ３０５においてメールマガジンの受信を行う。
ステップ３０６において、受信したメールデータのうち、メールマガジンヘッダー情報を抜き出し、さらにエンベロープ情報から識別コードを抽出する。
ステップ３０７において、抽出された識別コードと事前に登録されているメールマガジンの識別コード情報とを照らし合わせて、メールマガジンの識別、同定を行う。
ステップ３０８において、受信したメールマガジンの本文データに上述の外部リンク情報を組み込み、ステップ３０９において外部リンク情報を組み込んだ本文データを外部リンク提供システム４０内に備えられたデータベースに格納する。【００２２】  データベースの格納後は、検索エンジンや一般の閲覧者からのリクエストに対応して、バックナンバーページを表示できるようになるので、ステップ３１０において本システムが持つコンテンツページを示すサイトマップデータファイルを更新し、バックナンバーページが本システムに追加されたことを示すようにする。
ステップ３１１において、バックナンバーページを用いた更新が行われたことを、検索エンジン所定の通知フローにしたがって、検索エンジン１に通知する。
このようにメールマガジンの過去コンテンツをバックナンバーページとして蓄積することで、多数のかつ恒常的に増加するコンテンツページを自動的に生成することが可能となる。またこの多数のバックナンバーページに外部リンクを設定することで、検索エンジン１のクローリングによってＳＥＯ対象ページ３０の評価を高めることができる。【００２３】  バックナンバーページは、検索エンジンや一般の閲覧者からのリクエストによって、プログラムを用いて動的に表示される。
メールマガジン配信システム５０のバックナンバーページ表示用のプログラムは、検索エンジンや、閲覧者からのリクエストがどのメールマガジンのバックナンバー表示リクエストなのかを、リクエストしてきたＵＲＬ情報で識別する。
メールマガジン配信システム５０は、識別されたメールマガジンのバックナンバー情報に基づいて、データベースに収納されたメールマガジンのバックナンバーの本文情報と、バックナンバーページの雛形情報、外部リンク情報と組み合わせて、メールマガジンのバックナンバーページのＨＴＭＬを生成し、出力する。
その際、検索エンジン１がバックナンバーページを正しく認知し、また外部リンクを評価しやすいように、バックナンバーページのＵＲＬの最適化を行ってページデータの公開を行う必要がある。【００２４】  バックナンバー内容をプログラムで動的に表示する場合、次のような表示プログラム（この場合はｉｎｄｅｘ．ｐｈｐ）に対して表示に必要なパラメータ（この場合、ｃａｔ＝ａｃａｒｅとＩＤ＝００１とｐａｇｅ＝００１）を指定して次のようなＵＲＬで表示する。
ｈｔｔｐ：／／ｍａｉｌｆｅｅｄ．ｊｐ／ｉｎｄｅｘ．ｐｈｐ？ｃａｔ＝ａｃａｒｅ＆ＩＤ＝００１＆ｐａｇｅ＝００１
上記のようなパラメータつきのＵＲＬは、動的生成のページとして、検索エンジンでは、ページ評価を低く抑えられてしまう。
このため、メールマガジン配信システム５０は、
ｈｔｔｐ：／／ａｃａｒｅ．ｍａｉｌｆｅｅｄ．ｊｐ／００１＿００１．ｈｔｍｌ
のように、ＵＲＬにおけるファイル名の指定値やサブドメインに、表示に必要なパラメータを対応させて、表示プログラムを起動する際に、パラメータに変換する処理を行う。
これにより、検索エンジンは、動的なページでなく静的なページとしてバックナンバーページを評価し、またＵＲＬにおけるディレクトリの指定値の階層を浅くし、ＵＲＬ全体の文字数を少なく設定することにより、検索エンジン１がバックナンバーページをより正しく認知し、さらに外部リンクの被リンク先のページ評価を高める効果が確実なものとなる。【００２５】  なお本実施例において、ステップ３０５が本発明におけるメール受信手段を構成し、ステップ３０８が本発明における外部リンク設定手段を構成する。また、ステップ３０９が本発明における格納手段を構成し、ステップ３１１が本発明における通知手段を構成する。【００２６】  本実施例は以上のように構成され、配信されたメールマガジンを自動的にバックナンバーページとして蓄積、公開し、さらに各バックナンバーページから、指定のキーワードを用いた外部リンクを被検索ページ（ＳＥＯ対象ページ３０）に対して設定することにより、被検索ページに対するページリンク数を飛躍的に高め、検索エンジン１における被検索ページのページ評価を高めることができ、検索エンジン１での指定キーワードでの検索結果において、被検索ページの上位表示を実現することができる。
【図面の簡単な説明】
【００２７】
【図１】  検索エンジンによるページ評価算出のための構成を示す図である。
【図２】  外部リンク提供システムと検索エンジン等との連携を示す図である。
【図３】  外部リンク提供システム内での処理の流れを示す図である。
【符号の説明】
【００２８】１    検索エンジン
２    クローリング操作部
３    評価部
４    データベース
５、６０    ユーザＰＣ
１０    Ａ社ホームページ
１１    Ｂ社ホームページ
１２、１３    ホームページ
１５、１６、１７、４５    外部リンク
３０    ＳＥＯ対象ページ
４０    外部リンク提供システム
５０    メールマガジン配信システム
【図１】
2008192113.tif 000003
【図２】
2008192113.tif 000004
【図３】
2008192113.tif 000005